(57)【特許請求の範囲】
【請求項１】
手摺とラッチレバーとを備え、手摺は扉に水平方向に設けてあり、ラッチレバーは、一端部を扉の見込み方向と平行な軸で軸着し、他端部を常時上方に回動する方向に付勢してあるとともに手摺の扉側に手摺と一部が重合して設けてあり、他端部は、上端縁が手摺上縁から上方に突出する位置から上端縁が手摺上縁と略同一で且つ下端縁が手摺下縁よりも下方に突出する位置まで回動自在であることを特徴とする手摺装置。
【発明の詳細な説明】
【技術分野】
【０００１】
本発明は、ラッチレバーと連動する扉の手摺装置に関するものである。
【背景技術】
【０００２】
手摺の一部に扉の開閉手段を備えるものとしては特許文献１に示すものがあり、この装置は、手摺の端部外側にラッチと連動するハンドルを備え、手摺を掴みながら親指でハンドルを回動して手摺を押し出すことにより、扉を開閉できる構造をなすものであった。
【特許文献１】特開２００２−７０３６８号公報
【発明の開示】
【発明が解決しようとする課題】
【０００３】
しかしながら従来のものは、手摺を掴みながら親指でラッチレバーを操作するものであるから、扉の開け閉めのときに手摺を手で掴む動作の後に親指を下げる動作の２動作を行う煩わしさと共に、親指１本でラッチレバーを回動するものであるから、親指にかかる負担が大きくなり、このため操作性に問題点があった。使用上の都合からラッチレバーが手摺よりも下方位置にあることにより、扉の開閉時には手摺とラッチレバーとの隙間に指が入り込んで巻き込まれる危険性がある。
【０００４】
本発明は以上に述べたような実情に鑑み、扉を開け閉めするときに、ラッチレバーと手摺を同時に掴むことができて操作性の良好な手摺装置の提供を目的としている。
【課題を解決するための手段】
【０００５】
上記の課題を達成するために本発明による扉の手摺装置は、手摺とラッチレバーとを備え、手摺は扉に水平方向に設けてあり、ラッチレバーは、一端部を扉の見込み方向と平行な軸で軸着し、他端部を常時上方に回動する方向に付勢してあるとともに手摺の扉側に手摺と一部が重合して設けてあり、他端部は、上端縁が手摺上縁から上方に突出する位置から上端縁が手摺上縁と略同一で且つ下端縁が手摺下縁よりも下方に突出する位置まで回動自在であることを特徴とする。
【発明の効果】
【０００６】
本発明の扉の手摺装置によれば、ラッチレバーの一端部が手摺の上方位置にあることから、ラッチレバーを操作して扉を開けようとする時には、ラッチレバーに指を掛けるように促すことができ、ラッチレバーを下げたときには、手摺とラッチレバーが扉の見込み方向に重なる配置関係になって一緒に掴めるので、扉の開け閉めがしやすくなる。手摺とラッチレバーが扉の見込み方向に重なるように形成してあることで、操作時に手摺とラッチレバーとの間に指が入りにくくなり、使用時の安全性が高まる。
【発明を実施するための最良の形態】
【０００７】
以下、本発明の実施の形態を図面に基づいて説明する。
図２は、本発明の手摺装置を適用した扉３の正面図であり、図１は、図２のＡ−Ａ線縦断面図であり、図３は、ラッチ機構部１０の縦断面図であり、図４（ａ）（ｂ）は、扉３の閉時とラッチレバー２の操作時における手摺１とラッチレバー２の配置関係をそれぞれ示した説明図である。
【０００８】
本実施形態の扉３の手摺装置全体の構成は図２のように、扉３のラッチ機構部１０に水平方向の軸部１５により上下回動自在に取り付けられるラッチレバー２と、ラッチ機構部１０と前後に対向するように扉３室内側に水平方向に配置される手摺１と、手摺１の小口側Ｄから出没し且つ扉枠１１側に扉３を係合又は解除する閂４とからなっている。
【０００９】
手摺１は図１のように、周面が丸みを帯びた断面筒型をなし、扉３の室内側面の間隔をあけた二箇所で各々ブラケット１２ａ,１２ｂにより支持してあるとともに、扉３の蝶番側Ｅから小口側Ｄに亘って水平に配置してある。手摺１の筒の中には閂４が出没自在に収容してあり、ラッチ機構部１０のサムターン７あるいはシリンダ９に差し込んだ鍵を回すと駆動歯車２４ａが回転し、駆動歯車２４ａの回転に伴って連動部２３が下がり従動歯車２４ｂに回転力を付与し、従動歯車２４ｂと噛みあう係止歯車１７の一部が閂４に係止しており、係止歯車１７の回転により閂４が手摺１の小口側Ｄ端面から水平方向に出没して、扉枠１１側の受具５の受穴１８に抜き差しすることで、扉３の施錠と開錠を切り替えられる（図２，図４参照）。
【００１０】
ラッチ機構部１０は、扉３の小口側Ｄに埋め込まれる箱型の本体における室外側の箇所に、鍵を差し込むためのシリンダ９やレバーハンドル１９を、一方室内側にはサムターン７をそれぞれ備え、本体の内部には図３のように、ラッチレバー２及びレバーハンドル１９を常に上方に付勢するバネ２０と、扉枠１１側に取り付けたストライク１６に出没するラッチ６と、水平方向の軸部１５を中心とするラッチレバー２の上げ下げに伴うラッチ６の出没に係る駆動歯車２１ａと連動部２２と従動歯車２１ｂとを有している。バネ２０は、駆動歯車２１ａを常に軸を中心に時計回りに回転させるように働いており、回転により駆動歯車２１ａに係止する連動部２２を押し下げると共に、軸部１５と同軸で且つ連動部２２に係止する従動歯車２１ｂを回転し、ラッチレバー２及びレバーハンドル１９が常に上方にあるようにしている。このように形成すると、ラッチレバー２を手で下ろすことにより、ラッチ６とストライク１６との係合を解除して扉３を開放可能とする一方、ラッチレバー２から手を離せば自動的にラッチレバー２が上方に回動して、ラッチレバー２の先端側の上端部が手摺上縁Ｔよりも上方位置となるまでゆっくりと戻る（図２参照）。
【００１１】
ラッチレバー２は図２と図４（ａ）のように、握り部１４と、握り部１４の小口側Ｄ端部から突出し且つラッチ機構部１０と上下回動自在に軸着する水平方向の軸部１５とからなっており、握り部１４の上部は扉３の閉時、ラッチ機構部１０に手摺上縁Ｔよりも上側に突出するように取り付けてあることで、ラッチレバー２を操作して扉３を開く場合に、手摺１よりも先に握り部１４の上部に指Ｆを掛けるように促せる配置位置となる（図３もあわせて参照）。握り部１４の手摺１との対向面側は、手摺１の周面に沿うように円弧形状に抉れており、ラッチレバー２の操作時に下方に回動させたときに、ラッチレバー２の下部と手摺１とが互いが接触しない程度の隙間をあけて重なる位置関係となり、このため、ラッチレバー２を下ろすときに、指Ｆの挟まりを防ぐことができるとともに、手摺１とラッチレバー２とを片手で一緒に握ることができる一体的な態様となり、使用時に手で握りやすくなる。一方握り部１４の下端部は、親指Ｊに柔らかく当接するように丸みを帯びており、この丸みを帯びた部分が手摺１を握った手の親指Ｊへの押圧部Ｕとなる。押圧部Ｕは、ラッチレバー２を手摺１と同時に握ったときに、手摺下縁Ｂよりも下方に突出しており、扉３を開放する際、手摺１とラッチレバー２を一緒に握ったときにラッチレバー２の押圧部Ｕが下方に移動し、手摺１よりも先に親指Ｊに到達して押し下げるように作用し、このため、手摺１とラッチレバー２との間への親指Ｊの挟み込みを防ぐことができる（図４（ｂ）参照）。
【００１２】
本発明は、以上に述べた実施形態に限定されるものではなく、ラッチレバー２は手摺１の側に軸着してもよいし、手摺１やラッチレバー２の態様、
及び本手摺装置を適用するラッチ機構部１０についても特に限定するものではない。
【図面の簡単な説明】
【００１３】
【図１】図２のＡ−Ａ線縦断面図である。
【図２】本発明の手摺装置を適用した扉を示す正面図である。
【図３】ラッチ機構部の構成を示す縦断面図である。
【図４（ａ）（ｂ）】本手摺装置の使用手順を示す縦断面図である。
【符号の説明】
【００１４】
１  手摺
２  ラッチレバー
３  扉
Ｂ  手摺下縁
Ｔ  手摺上縁
【図１】
0004661567.tif 000002
【図２】
0004661567.tif 000003
【図３】
0004661567.tif 000004
【図４（ａ）（ｂ）】
0004661567.tif 000005